【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
無線端末によってシステムタグを表示する方法であって、
前記端末に関するサービス提供システムが前記無線端末に関する少なくとも１つのホームシステムのうちの１つであるかどうかを決定することと、
前記サービス提供システムが前記少なくとも１つのホームシステムのうちの１つである場合は、ホームシステムを表示することと、
前記サービス提供システムが前記少なくとも１つのホームシステムのうちの１つでない場合は、前記サービス提供システムに関するシステム識別（ＳＩＤ）値とローミングインジケータ値を確認することと、前記サービス提供システムに関する前記ＳＩＤ値が、ローミングシステムタグを入手可能な一組のＳＩＤ値の中に含まれているかどうかを確認すること、とを含めることによって、前記サービス提供システムに関するローミングシステムタグが入手可能であるかどうかを決定することと、
前記ローミングシステムタグを入手可能である場合は、前記サービス提供システムのＳＩＤ値に関連する前記ローミングシステムタグを表示すること、とを具備し、
前記決定することは、前記サービス提供システムに関するローミングインジケータ値を確認することと、前記サービス提供システムに関する前記ローミングインジケータ値が、ローミングシステムタグを入手可能な一組のローミングインジケータ値の中に含まれているかどうかを確認すること、とをさらに含み、前記サービス提供システムに関する前記ローミングインジケータ値に関連する前記ローミングシステムタグが入手可能であり、前記サービス提供システムに関する前記ＳＩＤ値に関連するローミングシステムタグが入手可能でない場合は、前記ローミングシステムタグを表示する方法。
【請求項２】
無線通信システムにおいてシステムタグ情報をダウンロードするための方法であって、
端末によって保存されているシステムタグに関する現行の構成情報を要求する第１のメッセージを受け取ることであって、前記システムタグは前記端末のローミング状態に基づいて表示するのに適していることと、前記端末によって保存されるシステムタグは、少なくとも１つのホームシステムタグ及び少なくとも１つのローミングシステムタグを含み、前記システムタグの各々は１つ以上のシステムに関連し、前記少なくとも１つのローミングシステムタグは、少なくとも１つのグループタグ及び少なくとも１つの特定タグを含み、前記少なくとも１つのグループタグの各々は、１個以上のローミングインジケータ値に関連し、前記少なくとも１つの特定タグの各々は、１つ以上のシステム識別（ＳＩＤ）値に関連することと、
前記要求された現行の構成情報とともに第２のメッセージを送信することと、
前記端末にダウンロードする少なくとも１つのシステムタグに関する第３のメッセージを受け取ること、とを具備する方法。
【請求項３】
前記少なくとも１つのグループタグは、第１のリストに含まれており、前記少なくとも１つの特定タグは第２のリストに含まれている、請求項２に記載の方法。
【請求項４】
前記１つ以上のグループタグが選択された場合に前記１つ以上のグループタグのリスト全体を前記端末にダウンロードし、前記１つ以上の特定タグが選択された場合に前記１つ以上の特定タグのリスト全体を前記端末にダウンロードする、請求項３に記載の方法。
【請求項５】
通信局から無線サービス提供システムの情報を取得する方法であって、
前記無線サービス提供システムの前記情報を含むように構成されたシステムタグを提供することと、
メッセージをシステムタグ構成に関する前記通信局に送信することと、
他のメッセージを、システムタグダウンロードに関する前記通信局に送信することと、
を具備する方法。
【請求項６】
前記メッセージの前記送信は、前記通信局によって送信される要求メッセージに応答して行なわれる請求項５に記載の方法。
【請求項７】
無線サービス提供システムの情報を通信端末に提供する方法であって、
前記無線サービス提供システムの前記情報を含むように構成されているシステムタグを支持する能力に関して前記通信端末に尋ねることと、
要求メッセージをシステムタグ構成に関する前記通信端末に送信することと、
他の要求メッセージを、システムタグダウンロードに関する前記通信局に送信することと、を具備する方法。
【請求項８】
地理上の位置における無線サービス提供システムを確認する方法であって、
前記無線サービス提供システムを含む好ましいローミングリストを提供することと、
前記無線サービス提供システムの情報を含むシステムタグを提供することと、
前記好ましいローミングリストを参照することによって前記地理上の位置における前記無線サービス提供システムを確認することと、
前記システムタグからの前記無線サービス提供システムの前記情報に基いて、前記確認されたサービス提供システムの情報を表示することと、
を具備する方法。
【請求項９】
ローミング状態を表示することに加えて、前記無線サービス提供システムのさらなる情報を表示することをさらに含む請求項８に記載の方法。
【請求項１０】
前記好ましいローミングリストにおいて提供されたローミングインジケータに基いて、前記システムタグから前記無線サービス提供システムに特有の特別な情報を表示することをさらに含む請求項９に記載の方法。
【請求項１１】
前記好ましいローミングリストにおいて提供されたローミングインジケータに基いて、前記システムタグから前記無線サービス提供システムのネットワークオペレータの名前を表示することをさらに含む請求項９に記載の方法。
【請求項１２】
通信局から無線サービス提供システムの情報を取得するように構成された装置であって、
前記無線サービス提供システムの前記情報を含むように構成されたシステムタグを提供する手段と、
メッセージをシステムタグ構成に関する前記通信局に送信する手段と、
他のメッセージを、システムタグダウンロードに関する前記通信局に送信する手段と、
を具備する装置。
【請求項１３】
前記メッセージの前記送信は、前記通信局によって送信される要求メッセージに応答して行なわれる請求項１２に記載の装置。
【請求項１４】
無線サービス提供システムの情報を通信端末に提供するように構成された装置であって、
前記無線サービス提供システムの前記情報を含むように構成されているシステムタグを支持する能力に関して前記通信端末に尋ねる手段と、
要求メッセージをシステムタグ構成に関する前記通信端末に送信する手段と、
他の要求メッセージを、システムタグダウンロードに関する前記通信局に送信する手段と、を具備する装置。
【請求項１５】
地理上の位置における無線サービス提供システムを確認するように構成された装置であって、
前記無線サービス提供システムを含む好ましいローミングリストを提供する手段と、
前記無線サービス提供システムの情報を含むシステムタグを提供する手段と、
前記好ましいローミングリストを参照することによって前記地理上の位置における前記無線サービス提供システムを確認する手段と、
前記システムタグからの前記無線サービス提供システムの前記情報に基いて、前記確認されたサービス提供システムの情報を表示する手段と、
を具備する装置。
【請求項１６】
ローミング状態を表示することに加えて、前記無線サービス提供システムのさらなる情報を表示することをさらに含む請求項１３に記載の装置。
【請求項１７】
前記好ましいローミングリストにおいて提供されたローミングインジケータに基いて、前記システムタグから前記無線サービス提供システムに特有の特別な情報を表示する手段をさらに含む請求項１６に記載の装置。
【請求項１８】
前記好ましいローミングリストにおいて提供されたローミングインジケータに基いて、前記システムタグから前記無線サービス提供システムのネットワークオペレータの名前を表示する手段をさらに含む請求項１６に記載の装置。